(57)【特許請求の範囲】
【請求項１】
情報の伝達が可能な信号ラインと電力供給が可能な電力ラインとを備えた外部バスに接続して前記信号ラインと前記電力ラインとを内部回路に接続するための外部バス接続口と、
前記外部バスの電力ラインの電力とは別に電力を供給する電源装置に接続するための電源接続口と、
前記信号ラインを介してやり取りする情報を処理する制御部と、
前記制御部からの信号に基づいて情報を処理する主装置と、
前記電源接続口と前記外部バス接続口によって前記内部回路に接続された電力ラインとの間に設けられ、かつ前記制御部からの指示に基づいて動作する第１スイッチ部と、を含み、
前記電源接続口は、前記制御部からの指示に応じて前記第１スイッチ部を介して前記電源装置側に電力制御信号を供給する供給口を有し、
前記外部バス接続口と前記制御部との間の前記電力ラインに直列配置された第１整流部と、
前記電源接続口と前記第１整流部の出力側との間に設けられた第２整流部と、をさらに含む、周辺装置。
【請求項２】
情報の伝達が可能な信号ラインと電力供給が可能な電力ラインとを備えた外部バスに接続して前記信号ラインと前記電力ラインとを内部回路に接続するための外部バス接続口と、
前記外部バスの電力ラインの電力とは別に電力を供給する電源装置に接続するための電源接続口と、
前記信号ラインを介してやり取りする情報を処理する制御部と、
前記制御部からの信号に基づいて情報を処理する主装置と、
前記電源接続口と前記外部バス接続口によって前記内部回路に接続された電力ラインとの間に設けられ、かつ前記電力ラインの電圧または前記制御部からの指示に基づいて動作する第２スイッチ部と、を含み、
前記電源接続口は、前記第２スイッチ部の状態に応じて前記電源装置側に電力制御信号を供給する供給口を有し、
前記外部バス接続口と前記制御部との間の前記電力ラインに直列配置された第１整流部と、
前記電源接続口と前記第１整流部の出力側との間に設けられた第２整流部と、をさらに含む、周辺装置。
【請求項３】
前記外部バス接続口と前記第１整流部の入力側との間の前記電力ラインに直列配置された第３スイッチ部をさらに含み、
前記第３スイッチ部は、前記制御部からの指示に応じて切替を行う、請求項１または２に記載の周辺装置。
【請求項４】
内部に内蔵されたレギュレータをさらに含み、
前記レギュレータは、前記第１整流部の出力側と前記制御部との間に直列配置された、請求項１から３のいずれか１項に記載された周辺装置。
【請求項５】
前記外部バス接続口は、ユニバーサルシリアルバス接続口、ＨＤＭＩ、ＭＨＬ、ＰｏＥの少なくともいずれかである、請求項１から４のいずれか１項に記載の周辺装置。
【請求項６】
電力カットスイッチおよびＡＣ−ＤＣ変換部を含む電源装置と、
請求項１から５のいずれか１項に記載された周辺装置と、を含み、
前記電力カットスイッチは、前記ＡＣ−ＤＣ変換部の交流電力入力側に挿入され、電力カットを行い前記ＡＣ−ＤＣ変換部の動作を停止させる、周辺装置システム。
【請求項７】
前記電源装置は、所定の抵抗器を含み、
前記周辺装置は、前記所定の抵抗器に基づく正誤判定部をさらに含む、請求項６記載の周辺装置システム。
【請求項８】
請求項１から５のいずれか１項に記載の周辺装置の制御方法であって、
前記電力ラインから電力が供給され、かつ、前記信号ラインから信号が供給される場合、前記電力ラインの電圧が前記電源接続口から前記電力制御信号として出力され、前記電源接続口に接続された電源装置が通常動作となり、前記電源装置から前記電源接続口に電力が供給され、
前記電力ラインからは電力が供給されるが、前記信号ラインから信号が所定の時間供給されない場合、または前記電力ラインから電力が供給されない場合、前記電力ラインの電圧が前記電源接続口から前記電力制御信号として出力されず、前記電源接続口に接続された電源装置の動作が停止し、前記電源装置から前記電源接続口に電力が供給されない、周辺装置の制御方法。
【請求項９】
前記電源装置から前記電源接続口に電力が供給される場合、前記電源接続口から前記第２整流部を経由して前記制御部に電力が供給される、請求項８に記載の周辺装置の制御方法。
【発明の詳細な説明】
【技術分野】
【０００１】
本発明は、周辺装置、周辺装置システムおよび周辺装置の制御方法に関する。
【背景技術】
【０００２】
特開２０１１−１６４９０４号公報（特許文献１）には、電力ラインを有する外部バスに接続された周辺装置における電力消費を低減する周辺装置およびその動作方法について開示されている。
【０００３】
特開２０１１−１６４９０４号公報（特許文献１）に記載の周辺装置は、情報の伝達が可能な信号ラインと電源供給が可能な電力ラインとを備えた外部バスに接続されて動作する周辺装置であって、外部バスの電力ラインの電力とは別に当該周辺装置の動作用電力を供給する電源装置と、電源装置からの電力の供給を受けて動作し、信号ラインを介してやり取りされる情報を処理する主装置と、外部バスの信号ラインの状態を監視し、信号ラインにおける信号の消失を検出したとき、電源装置から主装置への電力の供給を停止する信号ライン監視部と、外部バスの電力ラインを介した電力の供給・停止に従って、電源装置から信号ライン監視部への電力の供給をオン・オフする電源制御回路と、を備えたものである。
【０００４】
特開２０１２−１６１３９号公報（特許文献２）には、電子機器の状態に応じて電源装置の消費電力を簡易な構成で抑制することができる電源装置および電子機器システムについて開示されている。
【０００５】
特開２０１２−１６１３９号公報（特許文献２）に記載の電源装置および電子機器システムにおいては、電子機器に直流電力を供給するための電源装置であって、交流電源から入力される交流電力を直流電力に変換して出力する電力変換部と、電子機器に接続されて電力変換部が出力する直流電力を電子機器に出力するための直流電力出力線と、直流電力出力線における電流または電圧の変化を検出することによって、直流電力出力線から電子機器へ出力された直流電力の電子機器における消費を監視する消費監視部と、交流電源から電力変換部への交流電力の入力を許容する入力許容状態と、交流電源から電力変換部への交流電力の入力を禁止する入力禁止状態とに切り替え可能な切替部であり、消費監視部によって監視される電子機器における消費に応じて入力許容状態と入力禁止状態とを切り替える切替部と、切替部が入力禁止状態から入力許容状態への切り替えを行うための電力を交流電源とは異なる電源から供給する切替電力供給部と、を備えたものである。
【先行技術文献】
【特許文献】
【０００６】
【特許文献１】特開２０１１−１６４９０４号公報
【特許文献２】特開２０１２−１６１３９号公報
【発明の概要】
【発明が解決しようとする課題】
【０００７】
しかしながら、特許文献１記載の周辺装置においては、周知の汎用外部バスからの電力を削減できるが、電源装置の待機電力を削減することができない。そのため、電源装置の待機電力が汎用外部バスの待機電流よりも大きい場合、電力の無駄遣いとなるという問題が生じる。さらに、電源制御回路を電源装置に内蔵させた場合、電源装置自体が大きくなるという問題が生じる。
【０００８】
また、特許文献２記載の周辺装置においては、制御電圧印加回路は、ＵＳＢからの電力で動作するため、制御電圧印加回路がＡＣアダプタを入力許容状態から入力禁止状態に切り換える前に、ユーザがＵＳＢケーブルを挿抜した場合、制御電圧印加回路への電力供給がなくなり、制御電圧印加回路は、ＡＣアダプタを入力許容状態から入力禁止状態に切り換えることができないという問題があった。
その結果、パーソナルコンピュータからハードディスクを取り外した場合に、ＡＣアダプタは、入力許容状態が維持されてしまうという問題があった。
【０００９】
本発明の目的は、バスパワー供給可能なインターフェイス（ＵＳＢ（ユニバーサルシリアルバス）、ＨＤＭＩ（Ｈｉｇｈ−Ｄｅｆｉｎｉｔｉｏｎ    Ｍｕｌｔｉｍｅｄｉａ    Ｉｎｔｅｒｆａｃｅ）（登録商標）、ＭＨＬ（Ｍｏｂｉｌｅ    Ｈｉｇｈ−ｄｅｆｉｎｉｔｉｏｎ    Ｌｉｎｋ）、ＰｏＥ（Ｐｏｗｅｒ    ｏｖｅｒ    Ｅｔｈｅｒｎｅｔ）に対応したＬＡＮなど）を用いた装置において、バスパワー供給が消失した場合、もしくは省電力モードを検出した場合に、電源部の動作を停止させることで省電力を実現する周辺装置、周辺システムおよび周辺装置の制御方法を提供することである。
【課題を解決するための手段】
【００１０】
（１）
一局面に従う周辺装置は、情報の伝達が可能な信号ラインと電力供給が可能な電力ラインとを備えた外部バスに接続するための外部バス接続口と、外部バスの電力ラインの電力とは別に電力を供給する電源装置に接続するための電源接続口と、信号ラインを介してやり取りする情報を処理する制御部と、制御部からの信号に基づいて情報を処理する主装置と、電源接続口および電力ラインの間に設けられ、かつ制御部からの指示に基づいて動作する第１スイッチ部と、を含み、電源接続口は、制御部からの指示に応じて第１スイッチ部を介して電源装置側に電力制御信号を供給する供給口を有するものである。
【００１１】
この場合、電力ラインからの電力制御信号を第１スイッチ部を介して電源接続口へ供給することができる。また、電力ラインから制御部に電力が供給されているので、制御部から第１スイッチ部に指示を与えることができる。また、第１スイッチ部から供給口に電力制御信号を供給することができるので、当該電力制御信号を利用して電源接続部から周辺装置への電力供給を停止させることができる。
その結果、電力ライン供給が消失した場合、もしくは省電力モードを検出した場合に、電源接続部に接続される電源装置の待機電力の動作を停止させて省電力を実現することができる。
【００１２】
（２）
第２の発明にかかる周辺装置において、情報の伝達が可能な信号ラインと電力供給が可能な電力ラインとを備えた外部バスに接続するための外部バス接続口と、外部バスの電力ラインの電力とは別に電力を供給する電源装置に接続するための電源接続口と、信号ラインを介してやり取りする情報を処理する制御部と、制御部からの信号に基づいて情報を処理する主装置と、電源接続口および電力ラインの間に設けられ、かつ電力ラインの電圧または制御部からの指示に基づいて動作する第２スイッチ部と、を含み、電源接続口は、第２スイッチ部の状態に応じて電力ラインから電源装置側に電力制御信号を供給する供給口を有する。
【００１３】
電力ラインから電圧が供給される場合、第２スイッチ部により電力ラインの電圧が供給口により電力制御信号として供給されるので、当該電力制御信号を利用して電源接続部から周辺装置への電力供給を開始することができる。
また、電力ラインから電圧が供給されない場合には、電源接続部に接続される電源装置の待機電力を削減することができる。
【００１４】
（３）
第３の発明にかかる周辺装置は、一局面または第２の発明にかかる周辺装置において、外部バス接続口と制御部との間の前記電力ラインに直列配置された第１整流部と、電源接続口と第１整流部の出力側との間に設けられた第２整流部と、をさらに含んでもよい。
【００１５】
この場合、第１整流部により外部バス接続口側へ、電力が逆流することを防止することができ、第２整流部により電源接続口側へ、電力が逆流することを防止することができる。
【００１６】
（４）
第４の発明にかかる周辺装置は、一局面から第３の発明にかかる周辺装置において、外部バス接続口および制御部の間の電力ラインに直列配置された第３スイッチ部をさらに含み、第３スイッチ部は、制御部からの指示に応じて切替を行ってもよい。
【００１７】
この場合、外部バス接続口から外部バスが外された場合、または第３スイッチ部が電力ラインからの電力を切断した場合に、電源装置からの電力を用いて制御部へ電力および電源接続口の供給口へ電力制御信号を供給することができる。
【００１８】
（５）
第５の発明にかかる周辺装置は、一局面から第４の発明にかかる周辺装置において、内部に内蔵されたレギュレータをさらに含み、レギュレータは、第１整流部の出力側と制御部との間に直列配置されてもよい。
【００１９】
この場合、制御部の消費電力を低減することができる。
【００２０】
（６）
第６の発明にかかる周辺装置は、一局面から第５の発明にかかる周辺装置において、外部バス接続口は、ユニバーサルシリアルバス接続口、ＨＤＭＩ、ＭＨＬ、ＰｏＥの少なくともいずれかであってもよい。
【００２１】
この場合、外部バス接続口は、ユニバーサルシリアルバス（ＵＳＢ）接続口、ＨＤＭＩ（Ｈｉｇｈ−Ｄｅｆｉｎｉｔｉｏｎ    Ｍｕｌｔｉｍｅｄｉａ    Ｉｎｔｅｒｆａｃｅ）、ＭＨＬ（Ｍｏｂｉｌｅ    Ｈｉｇｈ−ｄｅｆｉｎｉｔｉｏｎ    Ｌｉｎｋ）、ＰｏＥ（Ｐｏｗｅｒ    ｏｖｅｒ    Ｅｔｈｅｒｎｅｔ）に対応したＬＡＮからなるので、供給電力ラインを所有している。そのため、電力ラインを確実に保有することができる。
【００２２】
（７）
他の局面に従う周辺装置システムは、電力カットスイッチおよびＡＣ−ＤＣ変換部を含む電源装置と、請求項１乃至６のいずれか１項に記載された周辺装置と、を含み、電力カットスイッチは、前記ＡＣ−ＤＣ変換部の交流電力入力側に挿入され、電力カットを行いＡＣ−ＤＣ変換部の動作を停止させるものである。
【００２３】
この場合、供給口からの電力制御信号を電力カットスイッチに入れて電力をカットさせることができるので、ＡＣ−ＤＣ変換部の動作自身を停止させることができる。その結果、電源装置の寿命を飛躍的に向上させることができる。
【００２４】
（８）
第８の発明にかかる周辺装置システムは、他の局面に従う周辺装置システムにおいて、電源装置は、所定の抵抗器を含み、周辺装置は、所定の抵抗器に基づく正誤判定部をさらに含んでもよい。
【００２５】
この場合、電源装置は、所定の抵抗器を含み、周辺装置は、所定の抵抗器に基づく正誤判定部をさらに含むので、電源装置および周辺装置が誤って接続された場合、正誤判定部により電力制御信号が供給されない。
また、正常に接続された場合、正誤判定部により電力制御信号が供給される。したがって、誤った接続がされた場合には、電力消費を防止することができる。
【００２６】
（９）
一局面から第６の発明にかかる周辺装置の制御方法は、情報の伝達が可能な信号ラインと電力供給が可能な電力ラインとを備えた外部バスに接続する外部バス接続工程と、外部バスの電力ラインの電力とは別に電力を供給する電源装置に接続する電源接続工程と、信号ラインを介してやり取りする情報を処理する制御工程と、制御工程からの信号に基づいて情報を処理する主装置工程と、電源接続工程および電力ラインの間に設けられ、かつ制御工程からの指示に基づいて動作する第１スイッチ工程と、を含み、制御工程は、第１スイッチ工程を介して電源接続工程へ電力を供給する工程を有するものである。
【００２７】
この場合、電力ラインからの電力制御信号を第１スイッチ工程を介して電源接続工程へ供給することができる。また、電力ラインから制御工程に電力が供給されているので、制御工程から第１スイッチ工程に指示を与えることができる。また、第１スイッチ工程から供給工程に電力制御信号を供給することができるので、当該電力制御信号を利用して電源接続工程から周辺装置への電力供給を停止させることができる。
その結果、電力ライン供給が消失した場合、もしくは省電力モードを検出した場合に、電源接続工程に接続される電源装置の待機電力の動作を停止させて省電力を実現することができる。
【図面の簡単な説明】
【００２８】
【図１】周辺装置および周辺システムの一例を示す模式図である。
【図２】ＡＣアダプタの一例を示す模式図である。
【図３】ＵＳＢコントローラ部の動作および電力供給の一例を示す模式図である。
【図４】周辺装置の一例を示す模式図である。
【図５】周辺装置の一例を示す模式図である。
【図６】周辺装置の一例を示す模式図である。
【図７】周辺装置の一例を示す模式図である。
【図８】周辺装置の一例を示す模式図である。
【図９】周辺装置の一例を示す模式図である。
【図１０】周辺装置の一例を示す模式図である。
【発明を実施するための形態】
【００２９】
以下に、本発明を、その実施の形態を表す図面を参照し詳述する。以下の説明では、同一の構成には同一の符号を付している。それらの名称および機能も同じである。したがって、それらについての詳細な説明は繰り返さない。
【００３０】
［第１の実施の形態］
図１は、第１の実施の形態にかかる周辺装置１００および周辺システム９００の一例を示す模式図であり、図２は本実施の形態にかかるＡＣアダプタ５２０の一例を示す模式図である。本実施の形態においては、周辺装置１００は、例えば、ハードディスク装置からなる。
【００３１】
（周辺装置１００）
図１に示すように、周辺装置１００は、ＵＳＢ（ユニバーサルシリアルバス）コネクタ２１０、ＵＳＢコントローラ部２３０、ＤＣＪａｃｋコネクタ３１０、主装置４１０および第１スイッチ（ＳＷ）６１０を含む。
【００３２】
周辺装置１００の外観に、ＵＳＢ（ユニバーサルシリアルバス）コネクタ２１０およびＤＣＪａｃｋコネクタ３１０が表出するように設けられている。
ＵＳＢコネクタ２１０は、パーソナルコンピュータ（ＰＣ）５１０等の外部機器とＵＳＢケーブルを介して接続される。また、ＤＣＪａｃｋコネクタ３１０は、交流のコンセントに接続されたＡＣアダプタ５２０に接続される。
【００３３】
（ＡＣアダプタ５２０の内部構造）
図２に示すように、ＡＣアダプタ５２０は、ＡＣ−ＤＣ回路５３０およびスイッチ５４０を含む。
スイッチ５４０は、例えばメカニカルリレー、またはソリッドステートリレーであり、ＡＣ−ＤＣ回路５３０よりもＡＣアダプタ５２０のプラグ５５０部分側に設けられる。その結果、スイッチ５４０の入力側（スイッチ制御）に電力制御信号Ａｄｐｖが供給されず出力側がＯＦＦとなった場合、コンセントからの交流がＡＣ−ＤＣ回路５３０に供給されない。
そのため、ＡＣ−ＤＣ回路５３０の動作は停止し、ＡＣアダプタ５２０から周辺装置１００へ電力Ｖは供給されない。
【００３４】
図２に示すように、スイッチ５４０は、電力制御信号ＡｄｐＶが入力された場合、プラグ５５０からの交流をＡＣ−ＤＣ回路５３０に与え、電力制御信号ＡｄｐＶが入力されない場合、プラグ５５０からの交流がＡＣ−ＤＣ回路５３０に与えられず、カットされる。
また、ＡＣ−ＤＣ回路５３０は、例えば１００Ｖ交流を直流電圧１２Ｖに変換するＡＣ−ＤＣコンバータからなる。
【００３５】
続いて、図１に示すように、周辺装置１００のＵＳＢ（ユニバーサルシリアルバス）コネクタ２１０の信号ラインＵＳＢｓｉｇおよび電力ラインＶｂｕｓは、ＵＳＢコントローラ部２３０に接続される。また、電力ラインＶｂｕｓには、トランジスタなどの第１スイッチ（ＳＷ）６１０が接続される。
また、ＤＣＪａｃｋコネクタ３１０の電力ラインＶは、主装置４１０に接続される。
なお、本実施例ではパーソナルコンピュータ（ＰＣ）５１０等とのインターフェイスとしてＵＳＢを使用した例を示しているが、例えばＵＳＢコントローラ部２３０は、インターフェイスがＨＤＭＩの場合ＨＤＭＩコントローラ部となり、インターフェイス毎に適したコントローラ部とする。また、合わせてＵＳＢコネクタ２１０、信号ラインＵＳＢｓｉｇおよび電力ラインＶｂｕｓもインターフェイス毎に適したコネクタ、信号ラインおよび電力ラインとなる。
【００３６】
ＵＳＢコントローラ部２３０は、第１スイッチ（ＳＷ）６１０の切替を指示する。また、ＵＳＢコントローラ部２３０は、主装置４１０の制御を行う。
ここで、主装置４１０は、ハードディスクドライブ（ＨＤＤ）、ディスプレイ等からなる。主装置４１０がハードディスクドライブ（ＨＤＤ）の場合、内蔵された磁気ディスクに情報を書き込んだり、読み出したり、記録したりする。
なお、主装置４１０はＵＳＢコントローラ部２３０から制御される装置であればよく、ＨＤＤ、ディスプレイに限定されない。
【００３７】
（周辺装置１００の制御方法）
図３は、ＵＳＢコントローラ部２３０の動作および電力供給の一例を示す模式図である。
【００３８】
（ＰＣ５１０が通常状態の場合）
図３（状態Ａ）に示すように、まず、ＰＣ５１０からＵＳＢコネクタ２１０を介してＵＳＢコントローラ部２３０に電力Ｖｂｕｓが供給され、かつＵＳＢコネクタ２１０から信号ＵＳＢｓｉｇがＵＳＢコントローラ部２３０に与えられた場合、ＵＳＢコントローラ部２３０は、電力Ｖｂｕｓにより稼働する。
【００３９】
また、ＵＳＢコントローラ部２３０は、第１スイッチ６１０をＯＮする旨の信号ｓｉｇ（ＯＮ）を送信する。第１スイッチ６１０は、信号ｓｉｇ（ＯＮ）が入力された場合、電力Ｖｂｕｓを電力制御信号ＡｄｐＶとしてＤＣＪａｃｋコネクタ３１０に供給する。
その結果、主装置４１０には、ＡＣアダプタ５２０からＤＣＪａｃｋコネクタ３１０を介して主装置４１０に電力Ｖが供給され、主装置４１０が稼働する。この場合、主装置４１０は、ＵＳＢコントローラ部２３０からの信号に応じて内蔵された磁気ディスクに情報を書き込んだり、読み出したり、記録したりする。
【００４０】
（ＰＣ５１０が省電力状態の場合）
また、図３（状態Ｂ）に示すように、ＰＣ５１０がスリープモード等の省電力状態になった場合、電力Ｖｂｕｓは供給されているものの、ＵＳＢコネクタ２１０から信号ＵＳＢｓｉｇは、消失した状態が一定時間継続する。
その結果、ＵＳＢコントローラ部２３０は、第１スイッチ６１０をＯＦＦする旨の信号ｓｉｇ（ＯＦＦ）を送信する。第１スイッチ６１０は、信号ｓｉｇ（ＯＦＦ）が入力された場合、電力Ｖｂｕｓを電力制御信号ＡｄｐＶとしてＤＣＪａｃｋコネクタ３１０に供給しない。
この場合、電力制御信号ＡｄｐＶがＡＣアダプタ５２０に供給されないので、スイッチ５４０は、プラグ５５０からの１００Ｖ交流をＡＣ−ＤＣ回路５３０に与えない。したがって、電力Ｖは、周辺装置１００のＤＣＪａｃｋコネクタ３１０を介して主装置４１０へ供給されない。
【００４１】
（ＰＣ５１０がシャットダウン状態（電力Ｖｂｕｓ供給持続状態）の場合）
続いて、図３（状態Ｂ）に示すように、ＰＣ５１０がシャットダウン（電力Ｖｂｕｓ供給は持続）に移行する場合、ＵＳＢコントローラ部２３０は、ＰＣ５１０から信号ＵＳＢｓｉｇが消失した状態が一定時間継続する。
【００４２】
その結果、ＵＳＢコントローラ部２３０は、第１スイッチ６１０をＯＦＦする旨の信号ｓｉｇ（ＯＦＦ）を送信する。第１スイッチ６１０は、信号ｓｉｇ（ＯＦＦ）が入力された場合、電力Ｖｂｕｓを電力制御信号ＡｄｐＶとしてＤＣＪａｃｋコネクタ３１０に供給しない。
この場合、電力制御信号ＡｄｐＶがＡＣアダプタ５２０に供給されないので、スイッチ５４０は、プラグ５５０からの１００Ｖ交流をＡＣ−ＤＣ回路５３０に与えない。
【００４３】
（ＰＣ５１０がシャットダウン状態（電力Ｖｂｕｓ供給停止状態）またはＰＣ５１０とＵＳＢコネクタ２１０がケーブルの取り外しなどにより物理的に未接続状態の場合）
図３（状態Ｃ）に示すように、ＰＣ５１０から供給されるＶｂｕｓがＯＦＦ（供給無し状態）の場合、電力Ｖｂｕｓは電力制御信号ＡｄｐＶとしてＤＣＪａｃｋコネクタ３１０に供給されない。
その結果、電力制御信号ＡｄｐＶがＡＣアダプタ５２０に供給されないので、スイッチ５４０は、プラグ５５０からの１００Ｖ交流をＡＣ−ＤＣ回路５３０に与えない。その結果、ＡＣ−ＤＣ回路５３０の動作は停止し、ＡＣアダプタ５２０から周辺装置１００へ電力Ｖは供給されない。
【００４４】
このように、本実施の形態にかかる周辺装置１００においては、信号ｓｉｇにより第１スイッチ６１０を動作させ、ＡＣアダプタ５２０のＡＣ−ＤＣ回路５３０の稼働を停止させることができる。
その結果、周辺装置１００における消費電力を削減することができる。また、周辺装置１００、ＰＣ５１０およびＡＣアダプタ５２０のトータル電力を削減できる。
【００４５】
［第２の実施の形態］
続いて、図４は、周辺装置１００ａの一例を示す模式図である。
図４に示す周辺装置１００ａは、ＵＳＢ（ユニバーサルシリアルバス）コネクタ２１０、ＵＳＢコントローラ部２３０、ＤＣＪａｃｋコネクタ３１０、主装置４１０、第２ダイオード４５０、第１ダイオード４６０、レギュレータ４７０、第１スイッチ（ＳＷ）６１０、第３スイッチ（ＳＷ）６２０および第４スイッチ（ＳＷ）６３０を含む。
第２の実施の形態が、第１の実施の形態と異なるのは、第２ダイオード４５０、第１ダイオード４６０、第３スイッチ６２０および第４スイッチ６３０を設ける点である。
【００４６】
第２の実施の形態にかかる周辺装置１００ａは、ＵＳＢコネクタ２１０とＵＳＢコントローラ部２３０との間の電力ラインＶｂｕｓ上に、分岐点Ａおよび分岐点Ｂが設けられている。
ＵＳＢコネクタ２１０と分岐部Ａとの間に、第３スイッチ６２０および第１ダイオード４６０が直列に配置されている。
また、分岐点Ａおよび分岐点Ｂとの間には、レギュレータ４７０が設けられている。
なお、レギュレータ４７０は分岐点Ａと分岐点Ｂとの間に電圧値調整が必要な場合に設けられる。また、必要に応じてＵＳＢコネクタ２１０と分岐点Ａとの間にＤＣ−ＤＣコンバータ（図示省略）を使用して電圧値調整可能な構成としてもよい。
【００４７】
図４に示すように、分岐部ＡとＤＣＪａｃｋコネクタ３１０の電力Ｖとの間には、第２ダイオード４５０が設けられている。
また、図４に示すように、ＤＣｊａｃｋコネクタ３１０と主装置４１０との間の電力Ｖには、第４スイッチ６３０が設けられている。
【００４８】
この場合、電力ラインＶｂｕｓが供給された場合、ＵＳＢコントローラ部２３０に電力が供給され、ＵＳＢコントローラ部２３０が起動する。
ＵＳＢコントローラ部２３０は、信号ラインＵＳＢｓｉｇの状態に応じて、第１スイッチ６１０をＯＮする。
その結果、電力ラインからのＶｂｕｓが第１ダイオード４６０を介して電力制御信号ＡｄｐＶとしてＡＣアダプタ５２０に供給され、ＡＣアダプタ５２０が起動し、ＡＣアダプタ５２０から周辺装置１００に電力Ｖが供給される。
なお、電力ラインからのＶｂｕｓが第３スイッチ６２０に供給された場合、第３スイッチ６２０は、通常はＯＮ状態であり、ＵＳＢコントローラ部２３０から第３スイッチ６２０をＯＦＦする旨の制御がなされた場合にＯＦＦとなる。
【００４９】
ＵＳＢコントローラ部２３０は、第２ダイオード４５０のアノード側の電圧を確認することにより、ＡＣアダプタ５２０から電力Ｖが供給されたことを検知した場合に第３スイッチ６２０をＯＦＦにするよう制御する。そして、所定のタイミングで、第４スイッチ６３０をＯＮさせる。
【００５０】
その結果、ＡＣアダプタ５２０からの供給電力Ｖが第２ダイオード４５０を介して、ＵＳＢコントローラ部２３０に供給される。また、電力制御信号ＡｄｐＶは第１スイッチ６１０を介してＡＣアダプタ５２０に供給される。
【００５１】
ＡＣアダプタ５２０からの供給電力ＶがＵＳＢコントローラ部２３０に対して印加された後は、電力ラインＶｂｕｓではなく、ＡＣアダプタ５２０からの供給電力ＶによりＵＳＢコントローラ部２３０および主装置４１０が駆動される。
なお、ＵＳＢコントローラ部２３０への電圧値調整は、適宜ＤＣ−ＤＣコンバータ（図示省略）を使用して調整する。
また、電力ラインＶｂｕｓが供給されなくなった場合、またはＰＣ５１０が省電力状態になった場合、信号ラインＵＳＢｓｉｇはＯＦＦとなる。そのため、ＵＳＢコントローラ部２３０は、第１スイッチ６１０をＯＦＦにする。その結果、ＡＣアダプタ５２０が動作を停止する。
【００５２】
この場合、周辺装置１００ａは、ＰＣ５１０からの電力ラインＶｂｕｓではなく、ＡＣアダプタ５２０による電力Ｖをメインに用いることができる。
また、周辺装置１００ａにおいては、ＵＳＢコントローラ部２３０は、電力ラインＶｂｕｓがＯＦＦとなった後に、ＡＣアダプタ５２０を制御することができ、例えばユーザがＵＳＢケーブルを取り外した際、ＵＳＢコントローラ部２３０は主装置４１０の終了処理を実施した後に、電圧Ｖをカットすることなどの処理が可能となる。
【００５３】
［第３の実施の形態］
次に、図５は、周辺装置１００ｂの一例を示す模式図である。
第３の実施の形態にかかる周辺装置１００ｂは、第２の実施の形態にかかる第３スイッチ６２０を除いた構成からなる。周辺装置１００ｂにおいては、ＡＣアダプタ５２０から供給される電圧Ｖを電力ラインＶｂｕｓの電圧よりも十分に高く設定した状態のものである。
【００５４】
この場合、電力ラインＶｂｕｓが供給されると、ＵＳＢコントローラ部２３０に電力が供給され、ＵＳＢコントローラ部２３０が起動する。ＵＳＢコントローラ部２３０は、信号ラインＵＳＢｓｉｇの状態に応じて、第２スイッチ６１０ｂをＯＮする。
電力ラインＶｂｕｓが第１ダイオード４６０を介して電力制御信号ＡｄｐＶとしてＡＣアダプタ５２０に供給され、ＡＣアダプタ５２０のＡＣ−ＤＣ回路５３０が起動し、ＡＣアダプタ５２０から周辺装置１００に電力Ｖが供給される。
【００５５】
ＡＣアダプタ５２０から供給される電圧Ｖを電力ラインＶｂｕｓの電圧よりも十分に高く設定した場合、第１ダイオード４６０のアノードよりもカソード側の電圧が高くなる。
そのため、電力ラインＶｂｕｓからの電力は第１ダイオード４６０を介してＵＳＢコントローラ部２３０側へ供給されない。
代わりにＡＣアダプタ５２０からの供給電力Ｖは、第２ダイオード４５０およびレギュレータ４７０を介して、電力ＶとしてＵＳＢコントローラ部２３０側へ供給される。
【００５６】
よって、ＡＣアダプタ５２０からの供給電力Ｖを周辺装置１００ｂに対して印加した後は、電力ラインＶｂｕｓではなく、ＡＣアダプタ５２０からの供給電力ＶでＵＳＢコントローラ部２３０および主装置４１０を動作させることが可能となる。
また、ＵＳＢコントローラ部２３０への電圧値調整は、適宜ＤＣ−ＤＣコンバータ（図示せず）を使用して調整する。
ＵＳＢコントローラ部２３０は、ＡＣアダプタ５２０から電力Ｖが供給されたことを検知した場合に、所定のタイミングで第４スイッチ６３０をＯＮ／ＯＦＦ可能な構成としてもよい。
【００５７】
また、電力ラインＶｂｕｓが供給されなくなった場合、信号ＵＳＢｓｉｇもＯＦＦとなるため、ＵＳＢコントローラ部２３０は、第２スイッチ６１０ｂをＯＦＦにする。
そのため、ＡＣアダプタ５２０が動作を停止し、ＡＣアダプタ５２０と周辺装置１００がＯＦＦとなる。
この場合、ＵＳＢコントローラ部２３０は、電力ラインＶｂｕｓがＯＦＦとなった後に、ＡＣアダプタ５２０を制御することができる。よって、信号ＵＳＢｓｉｇが消失した後に、ＡＣアダプタ５２０が電力供給を停止するまでに、例えば主装置４１０の終了処理を実施することができる。
【００５８】
［第４の実施の形態］    
次に、図６は、周辺装置１００ｃの一例を示す模式図である。
第４の実施の形態にかかる周辺装置１００ｃは、第２の実施の形態にかかる周辺装置１００ａの第１スイッチ６１０に与えられる信号が、ＵＳＢコントローラ部２３０から出力される代わりに電力ラインＶｂｕｓから出力される構成からなる。
【００５９】
ここで、第４の実施の形態にかかる周辺装置１００ｃは、電力ラインＶｂｕｓが供給された場合、第３スイッチ６２０がＯＮになる。その結果、ＵＳＢコントローラ部２３０に電力Ｖｂｕｓが供給される。第２スイッチ６１０ｃは、電力ラインＶｂｕｓが分岐点Ｃを介して第２スイッチ６１０ｃに供給された場合にＯＮになる。
【００６０】
そして、電力ラインＶｂｕｓが第１ダイオード４６０を介して電力制御信号ＡｄｐＶとしてＡＣアダプタ５２０に供給され、ＡＣ−ＤＣ回路５３０が起動し、ＡＣアダプタ５２０から周辺装置１００ｃに電力Ｖが供給される。
【００６１】
ＵＳＢコントローラ部２３０は、ＡＣアダプタ５２０から電力Ｖが供給されたことを検知した場合に第３スイッチ６２０をＯＦＦに制御する。
また、ＵＳＢコントローラ部２３０は、所定のタイミングで第４スイッチ６３０のＯＮ／ＯＦＦを切り替え可能な構成としてもよい。
【００６２】
次に、ＡＣアダプタ５２０からの供給電力Ｖが、第２ダイオード４５０を介して、ＵＳＢコントローラ部２３０側へ電力Ｖとして供給される。
ＡＣアダプタ５２０からの供給電力Ｖが周辺装置１００ｃに対して印加された後、電力ラインＶｂｕｓではなく、ＡＣアダプタ５２０からの供給電力ＶでＵＳＢコントローラ部２３０および主装置４１０が動作される。
なお、ＵＳＢコントローラ部２３０等への電圧値調整は、適宜ＤＣ−ＤＣコンバータ（図示せず）を使用して調整する。
【００６３】
なお、電力ラインＶｂｕｓが供給されなくなった場合は、分岐点Ｃを介して第２スイッチ６１０ｃに電力ラインＶｂｕｓが供給されないため、第２スイッチ６１０ｃがＯＦＦとなり、ＡＣアダプタ５２０は動作を停止する。そのため、ＡＣアダプタ５２０と周辺装置１００ｃがＯＦＦとなる。
【００６４】
［第５の実施の形態］
続いて、図７は、周辺装置１００ｄの一例を示す模式図である。
第５の実施の形態にかかる周辺装置１００ｄは、第３の実施の形態にかかる周辺装置１００ｂの第２スイッチ６１０ｂに与えられる信号が、ＵＳＢコントローラ部２３０から出力される代わりに電力ラインＶｂｕｓから出力されている構成からなる。
【００６５】
周辺装置１００ｄにおいては、ＵＳＢコントローラ部２３０に電力ラインＶｂｕｓが供給される。電力ラインＶｂｕｓが分岐点Ｃを介して第２スイッチ６１０ｄに供給された場合に、第２スイッチ６１０ｄは、ＯＮになる。
【００６６】
次いで、電力ラインＶｂｕｓが第１ダイオード４６０を介して、電力制御信号ＡｄｐＶとしてＡＣアダプタ５２０に供給され、ＡＣアダプタ５２０が起動し、ＡＣアダプタ５２０から周辺装置１００ｄに電力Ｖが供給される。
【００６７】
また、所定のタイミングで第４スイッチ６３０をＯＮ／ＯＦＦ可能な構成としてもよい。
ＡＣアダプタ５２０からの供給電力Ｖが第２ダイオード４５０を介してＵＳＢコントローラ部２３０側に電力制御信号ＡｄｐＶとして供給される。
【００６８】
ＡＣアダプタ５２０からの供給電力Ｖが周辺装置１００ｄに対して印加された後は、電力ラインＶｂｕｓではなく、ＡＣアダプタ５２０からの供給電力ＶでＵＳＢコントローラ部２３０を動作させる。なお、ＵＳＢコントローラ部２３０等への電圧値調整は、適宜ＤＣ−ＤＣコンバータ（図示せず）を使用して調整する。電力ラインＶｂｕｓが供給されなくなった場合は、第２スイッチ６１０ｄがＯＦＦとなり、ＡＣアダプタ５２０が動作を停止する。そのため、ＡＣアダプタ５２０と周辺装置１００ｄがＯＦＦとなる。
【００６９】
［第６の実施の形態］
続いて、図８は、周辺装置１００ｅの一例を示す模式図である。
第６の実施の形態にかかる周辺装置１００ｅは、図８に示すように、ＤＣＪａｃｋコネクタ３１０の代わりに、ＵＳＢ−ｍｉｎｉＢコネクタ３１０ｅを用いたものである。
【００７０】
（周辺装置１００ｅ）
図８に示すように、周辺装置１００ｅは、ＵＳＢ（ユニバーサルシリアルバス）コネクタ２１０、ＵＳＢコントローラ部２３０、ＵＳＢ−ｍｉｎｉＢコネクタ３１０ｅ、主装置４１０、第１スイッチ（ＳＷ）６１０、第４スイッチ（ＳＷ）６３０、プルアップ抵抗７１０、およびコンパレータ７２０を含む。
なお、ＵＳＢ−ｍｉｎｉＢコネクタは、ＵＳＢの規格によりＶｂｕｓ、ＵＳＢ信号線（Ｄ＋、Ｄ−）、ＩＤ、ＧＮＤの各電力ライン及び信号ラインを持つ。
【００７１】
また、図８に示すように、周辺装置１００ｅに接続されるＡＣアダプタ５２０ｅは、図２と同様に、ＡＣ−ＤＣ回路５３０およびスイッチ５４０を含み、さらに抵抗５５１を含む。抵抗５５１は、ＧＮＤとＩＤとの間に設けられる。本実施の形態において、抵抗５５１は、１０Ｋオームの抵抗である。
【００７２】
ＡＣアダプタ５２０ｅの供給電力Ｖは、ＵＳＢ−ｍｉｎｉＢコネクタ３１０ｅのＶｂｕｓピンおよび介して第４スイッチ６３０を介して主装置４１０に接続される。
また、ＡＣアダプタ５２０ｅのＩＤは、ＵＳＢ−ｍｉｎｉＢコネクタ３１０ｅのＩＤピンを介してコンパレータ７２０に接続される。基準電圧Ｒｅｆとコンパレータ７２０とで比較され、ＵＳＢコントローラ部２３０に比較結果が供給される。
【００７３】
ＵＳＢコネクタ２１０を介して電力ラインＶｂｕｓがＵＳＢコントローラ部２３０に供給され、ＵＳＢコネクタ２１０を介して信号ラインＵＳＢｓｉｇが接続される。
電力ラインＶｂｕｓは分岐点Ｄから第１スイッチ６１０に接続される。
また、第６の実施の形態においては、ＵＳＢ−ｍｉｎｉＢコネクタ３１０ｅからコンパレータ７２０の間にプルアップ抵抗７１０を介して第１スイッチ６１０の分岐点Ｄ側に接続される。
なお、プルアップ抵抗７１０は、定電流源であってもよく、その場合はコンパレータ側に対して定電流を出力する。
【００７４】
ＵＳＢコントローラ部２３０は、第１スイッチ６１０および第４スイッチ６３０に信号ｓｉｇを送信し、第１スイッチ６１０および第４スイッチ６３０をそれぞれ切替える。
第１スイッチ６１０からＵＳＢ−ｍｉｎｉＢコネクタ３１０ｅに電力Ｖｂｕｓが電力制御信号ＡｄｐＶとして供給される。
【００７５】
また、図８に示すように、ＵＳＢコントローラ部２３０は、主装置４１０に指示を与える。
【００７６】
（周辺装置１００ｅの動作）
ＡＣアダプタ５２０ｅへの電力制御信号（ＡｄｐＶ）はＵＳＢ−ｍｉｎｉＢコネクタ３１０ｅのＵＳＢ信号線（ＵＳＢＳｉｇ）を使用して給電する。なお、給電に使用するＵＳＢ信号線はＤ＋またはＤ−、もしくはその両方を使用してもよい。その際、周辺装置１００ｅのＤＣＪａｃｋコネクタとして使用しているＵＳＢ−ｍｉｎｉＢコネクタ３１０ｅへ、ユーザが誤ってＰＣ５１０のＵＳＢと接続した場合に、ＰＣ５１０側ＵＳＢのＵＳＢ信号線（ＵＳＢＳｉｇ）に対して電力供給を行わない仕組みを付加する。
【００７７】
ＡＣアダプタ側に抵抗（Ｒｉｄ）５５１を設置し、抵抗（Ｒｉｄ）５５１が予め決められている抵抗５５１の抵抗値（例えば１０キロオーム）である場合に、ＵＳＢコントローラ部２３０はＵＳＢ−ｍｉｎｉＢコネクタ３１０ｅに接続されたラインが、該当するＡＣアダプタ５２０ｅであると判定することができる。
【００７８】
なお、抵抗（Ｒｉｄ）５５１が予め決められている抵抗値であるかどうかの判定は、コンパレータ７２０による基準電圧Ｒｅｆとの比較結果により判定する。
ＵＳＢコントローラ部２３０は、ＵＳＢ−ｍｉｎｉＢコネクタ３１０ｅに対して該当するＡＣアダプタが接続されたと判定した場合は、第１スイッチ６１０をＯＮとし、ＵＳＢコネクタ２１０を介して供給された電力ＶｂｕｓをＵＳＢ−ｍｉｎｉＢコネクタ３１０ｅのＵＳＢ信号線を使用して、ＡｄｐＶとしてＡＣアダプタ５２０ｅに給電する。
【００７９】
また、ＵＳＢコントローラ部２３０は上記の通り判断できない場合はＡＣアダプタ５２０ｅに対して電力制御信号（ＡｄｐＶ）を供給しない。すなわち、第１スイッチ６１０をＯＮにしない。その結果、ユーザが誤ってＰＣ等のＵＳＢと接続した場合に、ＰＣ側ＵＳＢのＵＳＢ信号線（ＵＳＢＳｉｇ）に対して電力供給を行わない。
なお、ユーザが誤ってＰＣ５１０のＵＳＢに接続したことがわかるＬＥＤまたはブザーなどの報知機能を周辺装置１００ｅに設けても良い。具体的には、周辺装置１００ｅの供給電力ラインの電圧Ｖを監視し、「供給電力ラインに電力Ｖが供給されているが抵抗（Ｒｉｄ）５５１は所定の値では無い」場合に、誤接続と判断してユーザに報知してもよい。
【００８０】
［第７の実施の形態］
続いて、図９は、周辺装置１００ｆの一例を示す模式図である。図９に示すように、ＤＣＪａｃｋコネクタとして、ＵＳＢ−ＴｙｐｅＣコネクタ３１０ｆを用いたものである。
【００８１】
（周辺装置１００ｆ）
図９に示すように、周辺装置１００ｆは、ＵＳＢ（ユニバーサルシリアルバス）コネクタ２１０、ＵＳＢコントローラ部２３０、ＵＳＢ−ＴｙｐｅＣコネクタ３１０ｆ、主装置４１０、第１スイッチ（ＳＷ）６１０、第４スイッチ（ＳＷ）６３０、プルアップ抵抗７１０、７１１、およびコンパレータ７２０、７２１を含む。
なお、ＵＳＢ−ＴｙｐｅＣコネクタ３１０ｆは、ＵＳＢの規格によりＶｂｕｓ、ＵＳＢ信号線（Ｄ＋、Ｄ−）、ＣＣ１、ＣＣ２、ＧＮＤなど、各電力ライン及び信号ラインを持つ。また、ＵＳＢ−ＴｙｐｅＣコネクタは上下の向きが無いため、どちらの向きからでも相手コネクタへの差し込みが可能である。
【００８２】
また、図９に示すように、周辺装置１００ｆに接続されるＡＣアダプタ５２０ｆは、図２と同様に、ＡＣ−ＤＣ回路５３０およびスイッチ５４０を含み、さらに抵抗５５１、５５２を含む。抵抗５５１，５５２は、ＧＮＤ端子とＣＣ１端子との間、ＧＮＤ端子とＣＣ２端子との間にそれぞれに設けられる。本実施の形態において、抵抗５５１，５５２は、２０Ｋオームの抵抗である。
【００８３】
ＡＣアダプタ５２０ｆの供給電力Ｖは、ＵＳＢ−ＴｙｐｅＣコネクタ３１０ｆのＶｂｕｓピンを介して第４スイッチ６３０を介して主装置４１０に接続される。
また、ＡＣアダプタ５２０ｆのＣＣ１端子は、ＵＳＢ−ＴｙｐｅＣコネクタ３１０ｆのＣＣ１（またはＣＣ２端子）を介してコンパレータ７２０（またはコンパレータ７２１）に接続される。基準電圧とコンパレータ７２０（またはコンパレータ７２１）で比較され、ＵＳＢコントローラ部２３０に比較結果が供給される。
【００８４】
また、ＡＣアダプタ５２０ｅのＣＣ２端子は、ＵＳＢ−ＴｙｐｅＣコネクタ３１０ｆを介してコンパレータ７２１（またはコンパレータ７２０）に接続される。基準電圧とコンパレータ７２１（またはコンパレータ７２０）で比較され、ＵＳＢコントローラ部２３０に比較結果が供給される。
【００８５】
ＵＳＢコネクタ２１０を介して電力ラインＶｂｕｓがＵＳＢコントローラ部２３０に供給され、ＵＳＢコネクタ２１０を介して信号ラインＵＳＢｓｉｇが接続される。
電力ラインＶｂｕｓの分岐Ｄから第１スイッチ６１０に接続される。
また、ＵＳＢ−ＴｙｐｅＣコネクタ３１０ｆからコンパレータ７２０の間にプルアップ抵抗７１０を介して第１スイッチ６１０の分岐点Ｄ側に接続される。
さらに、ＵＳＢ−ＴｙｐｅＣコネクタ３１０ｆからコンパレータ７２１の間にプルアップ抵抗７１１を介して第１スイッチ６１０の分岐点Ｄ側に接続される。
なお、各プルアップ抵抗は、それぞれ定電流源であってもよく、その場合はコンパレータ側に対して定電流を出力する。
【００８６】
ＵＳＢコントローラ部２３０は、第１スイッチ６１０および第４スイッチ６３０に信号ｓｉｇを送信し、第１スイッチ６１０および第４スイッチ６３０をそれぞれ切替える。
第１スイッチ６１０からＵＳＢ−ＴｙｐｅＣコネクタ３１０ｆに電力ＶｂｕｓがＵＳＢ−ＴｙｐｅＣコネクタ３１０ｆのＵＳＢ信号線を介してＡｄｐＶとして供給される。
【００８７】
また、図９に示すように、ＵＳＢコントローラ部２３０は、主装置４１０に指示を与える。
【００８８】
（周辺装置１００ｆの動作）
ＡＣアダプタ５２０ｆへの電力制御信号はＵＳＢ−ＴｙｐｅＣコネクタ３１０ｆのＵＳＢ信号線（ＵＳＢＳｉｇ）を使用して給電する。この場合、周辺装置１００ｆのＤＣＪａｃｋコネクタとして使用しているＵＳＢ−ＴｙｐｅＣコネクタ３１０ｆへ、ユーザが誤ってＰＣ５１０のＵＳＢと接続した場合に、ＰＣ５１０側ＵＳＢのＵＳＢ信号線（ＵＳＢＳｉｇ）に対して電力供給を行わない仕組みを付加する。
【００８９】
ＡＣアダプタ側に抵抗（Ｒｉｄ）５５１と抵抗（Ｒｉｄ）５５２を設置し、抵抗（Ｒｉｄ）５５１と抵抗（Ｒｉｄ）５５２が予め決められている抵抗値（例えば２０キロオーム）である場合に、ＵＳＢコントローラ部２３０はＵＳＢ−ＴｙｐｅＣコネクタ３１０ｆに接続されたラインが、該当するＡＣアダプタ５２０ｆであると判定することができる。
なお、抵抗（Ｒｉｄ）が予め決められている抵抗値であるかどうかの判定は、コンパレータ７２０およびコンパレータ７２１による基準電圧Ｒｅｆとの比較結果により判定する。
【００９０】
ＵＳＢコントローラ部２３０は、ＵＳＢ−ＴｙｐｅＣコネクタ３１０ｆに該当するＡＣアダプタが接続されたと判定した場合は、第１スイッチ６１０をＯＮとし、ＵＳＢコネクタ２１０を介して供給された電力ＶｂｕｓをＵＳＢ−ＴｙｐｅＣコネクタ３１０ｆのＵＳＢ信号線を使用して、電力制御信号ＡｄｐＶとしてＡＣアダプタ５２０ｆに給電する。
【００９１】
また、ＵＳＢコントローラ部２３０は上記の通り判定できない場合はＡＣアダプタ５２０ｆに対して電力制御信号（ＡｄｐＶ）を供給しない。すなわち、第１スイッチ６１０をＯＮにしない。その結果、ユーザが誤ってＰＣ等のＵＳＢと接続した場合に、ＰＣ側ＵＳＢのＵＳＢ信号線（ＵＳＢＳｉｇ）に対して電力供給を行わない。
【００９２】
［第８の実施の形態］
次いで、図１０は、周辺装置１００ｇの一例を示す模式図である。
図１０に示すように、周辺装置１００ｇは、図１に示した周辺装置１００にさらに、電源スイッチ８１０を設けたものである。
電源スイッチ８１０は、周辺装置１００ｇの外観に表出して設けられる。その結果、ユーザが電源スイッチ８１０の押下操作を行うことができる。
【００９３】
図１０に示すように、電源スイッチ８１０は、ＵＳＢコントローラ部２３０に接続されており、電源スイッチ８１０からＵＳＢコントローラ部２３０に信号を入力できる構造になっている。
【００９４】
ＵＳＢコントローラ部２３０が第１スイッチ部６１０をＯＮに制御している状態において、電源スイッチ８１０をオンした場合、ＵＳＢコントローラ部２３０は第１スイッチ部６１０をＯＦＦさせてもよい。この場合、ユーザが電源スイッチ８１０を押下操作することで、ＡＣアダプタ５２０のスイッチング動作を停止させ、周辺装置１００ｇを省電力モードにすることができる。
また、その際、ＵＳＢコントローラ部２３０はＰＣ５１０に対して論理的な切断処理を要求し、ＰＣ５１０が周辺装置１００ｇとの接続を解除し、信号ＵＳＢｓｉｇがＯＦＦとなったあと、第１スイッチ部６１０をＯＦＦし、ＡＣアダプタ５２０のスイッチング動作を停止状態にしてもよい。
【００９５】
また、電源スイッチ８１０がロッカースイッチのようにオンまたはオフのどちらかの状態に固定できる構造の場合、電源スイッチ８１０がオフ状態ならば、電力ラインＶｂｕｓが供給されて信号ＵＳＢｓｉｇが有効な場合であっても、ＵＳＢコントローラ部２３０は第１スイッチ６１０をオフする事によりＡＣアダプタ５２０のスイッチング動作を停止状態とすることができる。また、その状態から電源スイッチ８１０をオン状態とした場合、ＵＳＢコントローラ部２３０は第１スイッチ６１０をオンにする事によりＡＣアダプタ５２０のスイッチング動作を起動させることができる。
【００９６】
なお、上記の第１から第８の実施の形態において、周辺装置１００，〜，１００ｇにおいて、内部に温度センサーを設け、異常発熱を検知した場合に第１スイッチ６１０をオフとすることによりＡＣアダプタ５２０のスイッチング動作を停止させる構成でもよい。
また、ＤＣｊａｃｋコネクタ３１０と第１スイッチ６１０との間に温度ヒューズを設ける構成とした場合でも、装置内が異常発熱した場合にＡＣアダプタ５２０のスイッチング動作を停止状態とすることができる。
【００９７】
なお、第１〜第８の実施形態において、スイッチ５４０はプラグ５５０部分側の片側に設けた構成であるが、プラグ５５０部分の両側に設ける構成としてもよい。
また、周辺装置１００ａ，１００ｂ，１００ｃ，１００ｄのＵＳＢコントローラ部２３０の通常動作において１００ｍＡより多く消費する場合に、ＵＳＢコントローラ部２３０は、ＰＣ５１０と接続時に、まず１００ｍＡ以下の動作モードにて第１スイッチ６１０をオン状態にし、ＡＣアダプタ５２０からＵＳＢコントローラ部２３０へ電力Ｖが供給された後、ＵＳＢコントローラ部２３０は通常の動作モードに移行する構成としてもよい。そうした場合、ＰＣ５１０に対して自身が１００ｍＡ以下で動作する装置とすることができ、ＰＣ５１０の電力管理に負担を掛けさせないことが可能となる。
【００９８】
ＡＣアダプタ５２０に周辺装置１００を接続しない、または、ＵＳＢケーブルが取り外されるなどの理由によりＰＣ５１０から電力Ｖｂｕｓが供給されないとスイッチ５４０をオンにするために必要な電力制御信号ＡｄｐＶがＡＣアダプタ５２０に対して供給されず、ＡＣアダプタ５２０はスイッチング動作しないため、ＡＣアダプタ５２０だけをコンセントに接続した場合、またはＡＣアダプタ５２０が周辺装置１００に接続された状態でＵＳＢケーブルが意図せず取り外された場合でも、ＡＣアダプタ５２０の待機電力を削減できる。
【００９９】
以上のように、周辺装置１００，〜１００ｇにおいて、電力ラインＶｂｕｓからの電力を第１スイッチ６１０を介してＤＣＪａｃｋコネクタ３１０へ供給することができる。また、電力ラインＶｂｕｓからＵＳＢコントローラ部２３０に電力が供給されているので、ＵＳＢコントローラ部２３０から第１スイッチ６１０に指示を与えることができる。また、第１スイッチ６１０からＤＣＪａｃｋコネクタ３１０に電力制御信号ＡｄｐＶを供給することができるので、当該電力制御信号ＡｄｐＶを利用してＡＣアダプタ５２０から周辺装置１００への電力供給を停止させることができる。
その結果、電力ラインＶｂｕｓ供給が消失した場合、もしくは省電力モードを検出した場合に、ＡＣアダプタ５２０の待機電力の動作を停止させて省電力を実現することができる。
【０１００】
また、周辺装置１００ａにおいて、第１スイッチ６１０により電力ラインＶｂｕｓの電力制御信号ＡｄｐＶがＤＣＪａｃｋコネクタ３１０により供給されるので、当該電力を利用してＡＣアダプタ５２０から周辺装置１００ａへの電力供給を停止させることができる。
【０１０１】
また、電力ラインＶｂｕｓおよびＵＳＢコントローラ部２３０の間に第３スイッチ６２０およびレギュレータ４７０を直列に配置し、第３スイッチ６２０およびレギュレータ４７０の間において、ＡＣアダプタ５２０に接続されるＤＣＪａｃｋコネクタ３１０と接続されることで、第３スイッチ６２０が電力ラインからの電力を切断した場合でも、レギュレータ４７０により適切な電力をＵＳＢコントローラ部２３０に与えることができる。
また、第４スイッチ６３０は、ＵＳＢコントローラ部２３０によりＡＣアダプタ５２０に接続されたＤＣＪａｃｋコネクタ３１０からの電力を切断することができる。
【０１０２】
この場合、電力ラインＶｂｕｓからの電力を第２スイッチ６１０ｂを介してＤＣＪａｃｋコネクタ３１０へ供給することができる。また、電力ラインからＵＳＢコントローラ部２３０に電力Ｖｂｕｓが供給されているので、ＵＳＢコントローラ部２３０から第１スイッチ６１０に指示を与えることができる。また、第１スイッチ６１０からＤＣＪａｃｋコネクタ６１０に電力制御信号を供給することができるので、当該電力制御信号を利用してＡＣアダプタ５２０から周辺装置１００への電力供給を停止させることができる。
また、電源装置からの電力を第４スイッチ６３０により主装置４１０へ供給することを停止させることができる。
【０１０３】
また、周辺システム９００においては、電源スイッチ８１０を使用してＤＣＪａｃｋコネクタ３１０の電力制御信号ＡｄｐＶをカットさせることができるので、ＡＣ−ＤＣ回路５３０の動作自身を電源スイッチ８１０によって停止させることができる。その結果、ＡＣアダプタ５２０の寿命を飛躍的に向上させることができる。
また、周辺システム９００においては、ＡＣアダプタ５２０の待機電力がＰＣ５１０からＵＳＢコネクタ２１０の待機電力よりも大きい場合であっても、電力の無駄遣いを防止することができる。
【０１０４】
（第１実施形態から第８実施形態および他の例における各部と請求項の各構成要素との対応関係）
本発明において、信号ラインＵＳＢｓｉｇが「信号ライン」に相当し、電力ラインＶｂｕｓが「電力ライン」に相当し、ＵＳＢが「外部バス」に相当し、ＵＳＢコネクタ２１０が「外部バス接続口、ユニバーサルシリアルバス接続口、外部バス接続工程」に相当し、ＡＣアダプタ５２０が「電源装置」に相当し、ＤＣＪａｃｋコネクタ３１０が「電源接続口」に相当し、ＵＳＢコントローラ部２３０が「制御部」に相当し、主装置４１０が「主装置」に相当し、第１スイッチ６１０が「第１スイッチ部」に相当し、ＤＣＪａｃｋコネクタ３１０のラインＡｄｐＶが「供給口」に相当し、周辺装置１００が「周辺装置」に相当し、スイッチ５４０が「電力カットスイッチ」に相当し、ＡＣ−ＤＣ回路５３０が「ＡＣ−ＤＣ変換部」に相当し、周辺装置１００、ＰＣ５１０およびＡＣアダプタ５２０が「周辺装置システム」に相当する。
【０１０５】
また、第２スイッチ６１０ｂ，６１０ｃ，６１０ｄが「第２スイッチ部」に相当し、
第３スイッチ６２０が「第３スイッチ部」に相当し、第１ダイオード４６０が「第１整流部」に相当し、第２ダイオード４５０が「第２整流部」に相当し、抵抗５５１，５５２が「所定の抵抗器」に相当し、コンパレータ７２０，７２１が「正誤判定部」に相当し、スイッチ５４０が「電力カットスイッチ」に相当する。
【０１０６】
本発明の好ましい一実施の形態は上記の通りであるが、本発明はそれだけに制限されない。例えば、第６、第７の実施形態に対して第２、第３、第４の実施形態の第２ダイオード４５０、第１ダイオード４６０、第３スイッチ６２０を組み合わせてもよい。
本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【０１０７】
１００，１００ａ，〜，１００ｇ    周辺装置
２１０    ＵＳＢコネクタ
２３０    ＵＳＢコントローラ部
３１０    ＤＣＪａｃｋコネクタ
４１０    主装置
４５０    第２ダイオード
４６０    第１ダイオード
５１０    ＰＣ
５２０    ＡＣアダプタ
５３０    ＡＣ−ＤＣ回路
５４０    スイッチ
５５０    プラグ
６１０    第１スイッチ
６１０ｂ，６１０ｃ，６１０ｄ  第２スイッチ
６２０    第３スイッチ
６３０    第４スイッチ
ＵＳＢｓｉｇ    信号ライン
Ｖｂｕｓ    電力ライン
ＡｄｐＶ    電力制御信号
【図１】
0006488208.tif 000002
【図２】
0006488208.tif 000003
【図３】
0006488208.tif 000004
【図４】
0006488208.tif 000005
【図５】
0006488208.tif 000006
【図６】
0006488208.tif 000007
【図７】
0006488208.tif 000008
【図８】
0006488208.tif 000009
【図９】
0006488208.tif 000010
【図１０】
0006488208.tif 000011